(57)【要約】【課題】部分書換を行っても画像の劣化が目立たない表示装置を提供する。【解決手段】書換制御部が一部の領域の電気化学表示素子に画像書換を行う場合、書換制御部が画像書換を行わない電気化学表示素子に隣接する位置に配列された電気化学表示素子の少なくとも一つに画像書換が行われた回数を計数する画素書換回数カウンタを有し、書換制御部は、画素書換回数カウンタの計数した回数に基づいて、該当する画像書換を行わなかった電気化学表示素子に画像書換を行ってそれまでに表示していた画像を再度表示させることを特徴とする表示装置。【選択図】図１０
2011095381.tif 000002
【特許請求の範囲】
【請求項１】
マトリクス状に配列された複数の電気化学表示素子と、前記電気化学表示素子に対して消去電圧を印加して画像を消去した後、表示すべき画像の濃度に応じた期間の間、書き込み電圧を印加する画像書換を行って画像を表示させる書換制御部と、を備えた表示装置であって、
前記書換制御部が一部の領域の電気化学表示素子に複数回前記画像書換を行う場合は、それぞれの前記画像書換を行わなかった電気化学表示素子について、前記画像書換を行わなかった電気化学表示素子に隣接する位置に配列された少なくとも一つの電気化学表示素子に対して前記書換制御部が前記画像書換を行った回数を計数する画素書換回数カウンタを有し、
前記書換制御部は、
前記画素書換回数カウンタの計数した回数に基づいて、該当する前記画像書換を行わなかった電気化学表示素子に前記画像書換を行ってそれまでに表示していた画像を再度表示させることを特徴とする表示装置。
【請求項２】
前記書換制御部が一部の領域の電気化学表示素子に前記画像書換を行った回数を計数する部分書換回数カウンタを有し、
前記書換制御部は、
前記部分書換回数カウンタの計数した回数に基づいて全ての前記電気化学表示素子に前記画像書換を行ってそれまでに表示していた画像を再度表示させることを特徴とする請求項１に記載の表示装置。
【請求項３】
マトリクス状に配列された複数の電気化学表示素子と、前記電気化学表示素子に対して消去電圧を印加して画像を消去した後、表示すべき画像の濃度に応じた期間の間、書き込み電圧を印加する画像書換を行って画像を表示させる書換制御部と、を備えた表示装置であって、
前記書換制御部が一部の領域の電気化学表示素子に前記画像書換を行った回数を計数する部分書換回数カウンタを有し、
前記書換制御部は、
前記部分書換回数カウンタの計数した回数に基づいて前記一部の領域の電気化学表示素子および前記一部の領域の電気化学表示素子の周囲の前記電気化学表示素子に前記画像書換を行ってそれまでに表示していた画像を再度表示させることを特徴とする表示装置。
【請求項４】
前記書換制御部は、
少なくとも１回、前記一部の領域の電気化学表示素子および前記一部の領域の電気化学表示素子の周囲の前記電気化学表示素子に前記画像書換を行った後、前記部分書換回数カウンタの計数した回数に基づいて全ての前記電気化学表示素子に前記画像書換を行ってそれまでに表示していた画像を再度表示させることを特徴とする請求項３に記載の表示装置。
【発明の詳細な説明】
【技術分野】
【０００１】
本発明は、表示装置に関し、特に、マトリクス状に配列された複数の電気化学表示素子を有する表示装置に関する。
【背景技術】
【０００２】
近年、パーソナルコンピューターの動作速度の向上、ネットワークインフラの普及、データストレージの大容量化と低価格化に伴い、従来紙への印刷物で提供されたドキュメントや画像等の情報を、より簡便な電子情報として入手し、その電子情報を閲覧する機会が益々増大している。
【０００３】
この様な電子情報を閲覧するためには、従来からの液晶ディスプレイやＣＲＴ、また近年では有機ＥＬディスプレイ等の発光型のディスプレイが主として用いられている。しかしながら、特に、電子情報がドキュメント情報の場合、比較的長時間にわたってこのドキュメント情報を注視する必要があり、一般的な発光型のディスプレイの欠点として、フリッカーで目が疲労する、持ち運びに不便、読む姿勢が制限される、長時間読むと消費電力が嵩む等が知られている。
【０００４】
これらの欠点を解消する表示方式として、電気化学表示方式が知られており、その一例として、金属または金属塩の溶解析出を利用するエレクトロデポジション方式（以下、ＥＤ方式と略す）が知られている。（例えば、特許文献１、２参照）。
【０００５】
ＥＤ方式の表示素子は、３Ｖ以下の低電圧で駆動が可能で、簡便なセル構成で実現でき、また、表示品位が優れている（明るいペーパーライクな白と引き締まった黒）といった特長を持っている。
【０００６】
このようなＥＤ方式の表示素子をマトリックス状に複数配設し、マトリックス駆動を行って画像の書き込みと画像の消去を行う表示装置が開示されている（例えば、特許文献３参照）。
【先行技術文献】
【特許文献】
【０００７】
【特許文献１】特許第３４２８６０３号公報
【特許文献２】特開２００３−２４１２２７号公報
【特許文献３】特開２００２−２５８３２７号公報
【発明の概要】
【発明が解決しようとする課題】
【０００８】
前述の表示装置は、表示画面をＧＵＩ領域とデータ表示領域とに分け、ＧＵＩ領域には表示装置を操作するための操作情報を表示し、データ表示領域にはドキュメントや画像等の電子情報を表示するようにするとユーザにとって使い勝手が良い。例えば、ユーザがＧＵＩ領域に表示されている操作情報に触れると、データ表示領域に新たな電子情報が表示されるなど各種の操作を可能にできる。
【０００９】
ＥＤ方式の電気化学表示素子を配列した表示装置では、新たな画像情報を表示させる時は電気化学表示素子に消去電圧を印加してリセットし、表示画面を白の状態にしてから画像の書き込みを行う画像書換を行う必要がある。ところが、全画面をリセットすると書き換える必要の無いＧＵＩ領域の操作情報まで消えるので不自然な表示になってしまう。そのため、書換が必要なデータ表示領域のみ電気化学表示素子に消去電圧を印加して画像書換を行い、ＧＵＩ領域は画像書換を行わない部分書換を行うことが望ましい。
【００１０】
しかしながら、部分書換を行った場合には、部分書換を行う領域に隣接している書換を行わない領域の電気化学表示素子にも漏れ電流が流れ、銀の溶解析出反応が起きてしまう。この現象はユーザには画像のにじみとして認識され、書換を行わない領域の表示を劣化させる原因となる。特に、複数回の部分書換を行った場合は、複数回にわたり隣接している書換を行わない領域の電気化学表示素子に漏れ電流が流れるため、当該電気化学表示素子の表示劣化が目立つようになる。
【００１１】
本発明は、上記課題に鑑みてなされたものであって、部分書換を行っても画像の劣化が目立たない表示装置を提供することを目的とする。
【課題を解決するための手段】
【００１２】
本発明の目的は、下記構成により達成することができる。
【００１３】
１．マトリクス状に配列された複数の電気化学表示素子と、前記電気化学表示素子に対して消去電圧を印加して画像を消去した後、表示すべき画像の濃度に応じた期間の間、書き込み電圧を印加する画像書換を行って画像を表示させる書換制御部と、を備えた表示装置であって、
前記書換制御部が一部の領域の電気化学表示素子に複数回前記画像書換を行う場合は、それぞれの前記画像書換を行わなかった電気化学表示素子について、前記画像書換を行わなかった電気化学表示素子に隣接する位置に配列された少なくとも一つの電気化学表示素子に対して前記書換制御部が前記画像書換を行った回数を計数する画素書換回数カウンタを有し、
前記書換制御部は、
前記画素書換回数カウンタの計数した回数に基づいて、該当する前記画像書換を行わなかった電気化学表示素子に前記画像書換を行ってそれまでに表示していた画像を再度表示させることを特徴とする表示装置。
【００１４】
２．前記書換制御部が一部の領域の電気化学表示素子に前記画像書換を行った回数を計数する部分書換回数カウンタを有し、
前記書換制御部は、
前記部分書換回数カウンタの計数した回数に基づいて全ての前記電気化学表示素子に前記画像書換を行ってそれまでに表示していた画像を再度表示させることを特徴とする前記１に記載の表示装置。
【００１５】
３．マトリクス状に配列された複数の電気化学表示素子と、前記電気化学表示素子に対して消去電圧を印加して画像を消去した後、表示すべき画像の濃度に応じた期間の間、書き込み電圧を印加する画像書換を行って画像を表示させる書換制御部と、を備えた表示装置であって、
前記書換制御部が一部の領域の電気化学表示素子に前記画像書換を行った回数を計数する部分書換回数カウンタを有し、
前記書換制御部は、
前記部分書換回数カウンタの計数した回数に基づいて前記一部の領域の電気化学表示素子および前記一部の領域の電気化学表示素子の周囲の前記電気化学表示素子に前記画像書換を行ってそれまでに表示していた画像を再度表示させることを特徴とする表示装置。
【００１６】
４．前記書換制御部は、
少なくとも１回、前記一部の領域の電気化学表示素子および前記一部の領域の電気化学表示素子の周囲の前記電気化学表示素子に前記画像書換を行った後、前記部分書換回数カウンタの計数した回数に基づいて全ての前記電気化学表示素子に前記画像書換を行ってそれまでに表示していた画像を再度表示させることを特徴とする前記３に記載の表示装置。
【発明の効果】
【００１７】
本発明では、部分書換を行う場合、書換制御部が、画像書換を行わない電気化学表示素子に隣接する位置に配列された電気化学表示素子の少なくとも一つに画像書換を行った回数を計数する画素書換回数カウンタを設けている。書換制御部は、画素書換回数カウンタの計数した回数に基づいて、該当する画像書換を行わなかった電気化学表示素子に画像書換を行ってそれまでに表示していた画像を再度表示させる。
【００１８】
したがって、部分書換を行っても画像の劣化が目立たない表示装置を提供することができる。
【図面の簡単な説明】
【００１９】
【図１】本発明の実施形態に係る表示装置１００の一例を示す外観図である。
【図２】本実施形態に係る表示装置に表示される画面の一例を説明する説明図である。
【図３】本実施形態における表示装置１００に用いられるＥＤ方式の電気化学表示素子１の基本的な構成を示す概略断面図である。
【図４】電気化学表示素子１に書き込み電圧を印加する時間と表示濃度Ｄとの関係を説明する図である。
【図５】本実施形態における表示装置１００の電気的構成を示す図である。
【図６】第１の実施形態における表示装置１００の制御部１１の内部構成を示すブロック図である。
【図７】電気化学表示素子１によって画像を表示するときの各部の電圧の変化を示すタイムチャートである。
【図８】電気化学表示素子１によって表示された画像を消去するときの各部の電圧の変化を示すタイムチャートである。
【図９】部分書換を行うときのメモリ空間７４のデータと表示画面５０に表示される画像の変化を説明する説明図である。
【図１０】複数回部分書換を行う画素に隣接する画素の劣化を目立たなくする手順を説明する図である。
【図１１】部分書換によりページ更新をするメインルーチンの手順を説明するフローチャートである。
【図１２】部分書換ルーチンの手順を説明するフローチャートである。
【図１３】画素間の距離に応じて画素書換回数に重み付けをする例の説明図である。
【図１４】第２の実施形態における表示装置の構成を示す図である。
【図１５】第２の実施形態において、部分書換によりページ更新をするメインルーチンの手順を説明するフローチャートである。
【発明を実施するための形態】
【００２０】
以下、図面に基づき本発明の実施形態を説明する。
【００２１】
図１は、本発明の実施形態に係る表示装置の一例を示す外観図、図２は、本実施形態に係る表示装置に表示される画面の一例を説明する説明図である。
【００２２】
表示装置１００は、例えばタブレットＰＣや電子ブック、ＰＤＡであり、システムメモリ１０（図５参照）に記憶されている画像や文字などのデータを表示画面５０に表示する。表示画面５０には白から黒の階調表示が可能なメモリ性表示素子である電気化学表示素子１（図３参照）が用いられている。操作部４２にはメカニカルスイッチからなる順送りボタン４３と逆送りボタン４４が設けられている。例えば、ユーザが順送りボタン４３を押すと表示画面５０に表示されているデータの次のページのデータをシステムメモリ１０から読み出して表示する。同様に、ユーザが逆送りボタン４４を押すと表示画面５０に表示されているデータの前のページのデータをシステムメモリ１０から読み出して表示する。
【００２３】
また、図１において、表示画面５０の上層はタッチパネル４０になっている。ユーザは、タッチパネル４０への入力操作により、手書きモードへの切換を行った後、画面上の位置または領域を指定し、手書き入力を行う。タッチパネル４０への入力操作はスタイラスペンを用いても良いし、直接指などでタッチパネル４０を操作しても良い。
【００２４】
図２（ａ）は、本実施形態に係る表示装置に表示される画面の一例である。本実施形態では、表示画面５０の周辺部にタッチパネル４０への入力操作を行うためのアイコンやタブなどのＧＵＩを表示するＧＵＩ領域７５ｂを設け、画像や文字などのデータを表示するデータ表示領域７５ａはＧＵＩ領域７５ｂの内側に設けている。図２（ａ）の例では、ＧＵＩ領域７５ｂに枠線７７とタブ７６ａ、７６ｂ、７６ｃが表示され、データ表示領域７５ａには文書データ７１が表示されている。ユーザが３つのタブ７６の何れかに触れると、そのタブ７６に対応するデータがシステムメモリ１０から読み出され、表示画面５０に表示される。
【００２５】
図２（ｂ）は、システムメモリ１０に記憶されている文書データ７１とＧＵＩデータ７３を読み出して、フレームメモリ６０のメモリ空間７４に合成することを模式的に示した説明図である。フレームメモリ６０に記憶されているデータは所定のタイミングで表示画面５０に表示される。
【００２６】
図３は、表示装置１００に用いられるＥＤ方式の電気化学表示素子１の基本的な構成を示す概略断面図である。図３（ａ）は電気化学表示素子１により黒を表示している状態であり、図３（ｂ）は白を表示している状態である。
【００２７】
図３に示すＥＤ方式の電気化学表示素子１は、透明なＩＴＯ（錫ドープ酸化インジウム）電極３２と、銀電極３０との間に電解質３１を保持している。ＩＴＯ電極３２と銀電極３０には電源３４が接続されている。なお、ユーザはＩＴＯ電極３２側から電気化学表示素子１を観察する。
【００２８】
図３（ａ）のように電源３４から銀電極３０に対しＩＴＯ電極３２に負の電圧を印加すると図中の矢印方向に電流が流れ、ＩＴＯ電極３２側で電解質３１中に含まれる銀の析出反応が生じる。以降ＩＴＯ電極３２に印加する負の電圧を書き込み電圧と呼ぶ。
【００２９】
３５は析出した銀であり、析出した銀３５は光を吸収するので、ＩＴＯ電極３２側から見た電気化学表示素子１の濃度が高くなる。３６は溶解した銀を模式的に示しており、銀電極３０側では析出していた銀が電解質３１中に溶解する現象が生じる。
【００３０】
図３（ｂ）のように電源３４から銀電極３０に対しＩＴＯ電極３２に正の電圧を印加すると、図中の矢印方向に電流が流れ、ＩＴＯ電極３２側では銀の溶解反応が生じる。以降ＩＴＯ電極３２に印加する正の電圧を消去電圧と呼ぶ。図３（ａ）の状態においてＩＴＯ電極３２側に析出していた銀は電解質３１中に溶解し、一定時間消去電圧を印加すると、電解質３１に混入された光拡散物質（例えば、酸化チタン粒子）の作用によってＩＴＯ電極３２側から見た電気化学表示素子１は初期状態の白色になる。
【００３１】
電気化学表示素子１に含まれる電解質３１は、例えば銀塩水溶液より非水系銀塩溶液に銀を転相させることにより調製できる。このような銀塩水溶液は、公知の銀塩を水に溶解して調製することができる。
【００３２】
図４は、電気化学表示素子１に書き込み電圧を印加する時間と表示濃度Ｄとの関係を説明する図である。
【００３３】
図４の横軸はＴｘは書き込み電圧を印加する時間、縦軸は表示濃度の値Ｄである。０は電気化学表示素子１の最小表示濃度（白）、Ｄｍａｘは電気化学表示素子１の最大表示濃度（黒）であり本実施形態では０から１５までの１６段階の階調を表示するものとする。図４に示すように本実施形態の電気化学表示素子１では所定の書き込み電圧を印加すると書き込み時間Ｔｘに応じて表示濃度Ｄが増していく。
【００３４】
図５は、本実施形態における表示装置１００の電気的構成を示す図、図６は、第１の実施形態における表示装置１００の制御部１１の内部構成を示すブロック図である。
【００３５】
図５では説明の簡略化のために３行×３列の画素だけの構成を示すが、表示画面５０に画像表示を行うためには、より多くのｎ行×ｍ列の画素が用いられる。例えば、ＸＧＡの表示画面５０を構成する場合であれば、画素数は１０２４×７６８となる。図５は制御部１１の内部構成を説明するための図である。
【００３６】
図５において、各画素は、電気化学表示素子１、駆動トランジスタ２、スイッチングトランジスタ４とを有する。図５ではｎ行×ｍ列の画素の電気化学表示素子１をそれぞれＰｎｍと表記している。例えば１行１列目の画素の電気化学表示素子１はＰ１１、１行２列目の画素の電気化学表示素子１はＰ１２、というように順に表記している。
【００３７】
符号５ａ、５ｂ、５ｃは走査線で、行方向に並んだ画素それぞれのスイッチングトランジスタ４のゲートと、ゲートドライバ１２とを互いに接続する。符号８ａ、８ｂ、８ｃは信号線で、列方向に並んだ画素それぞれのスイッチングトランジスタ４のソースと、ソースドライバ１４とを互いに接続する。ゲートドライバ１２は、制御部１１の制御に基づいて、走査線５ａ、５ｂ、５ｃに出力電圧Ｇ１、Ｇ２、Ｇ３を選択的に出力することにより、スイッチングトランジスタ４のオン／オフの制御を行い、駆動トランジスタ２に制御電圧を印加する行を選択する。駆動トランジスタ２のドレインは各画素の電気化学表示素子１の銀電極３０に接続され、ソースはＧＮＤバス６によって接地されている。
【００３８】
ソースドライバ１４は、信号線８ａ、８ｂ、８ｃ毎にドライバ回路を有し、制御部１１の制御に基づいて、信号線８ａ、８ｂ、８ｃに出力電圧Ｓ１、Ｓ２、Ｓ３を出力する。ソースドライバ１４のドライバ回路はオン、オフの２値ドライバであり、制御部１１の制御に基づいてソースドライバ１４に入力された制御電圧Ｖｓまたはオフ電圧である０Ｖを出力する。
【００３９】
制御電圧電源１５は、制御部１１の制御に基づいて制御電圧Ｖｓを出力しソースドライバ１４に供給する。
【００４０】
バスライン７ａ、７ｂ、７ｃは、それぞれ１行ごとの各画素の電気化学表示素子１のＩＴＯ電極３２と接続され、またその一端はコモン電源１３に接続されている。コモン電源１３は制御部１１の指令により正極性または負極性の電圧であるコモン電圧Ｖｃを出力する。
【００４１】
ソースドライバ１４の出力電圧Ｓ１、Ｓ２、Ｓ３がオン電圧であるＶｓのとき、スイッチングトランジスタ４がオンになると、駆動トランジスタ２のゲートにＶｓが印加され、駆動トランジスタ２はオンになり電気化学表示素子１にはコモン電圧Ｖｃが印加される。その後、スイッチングトランジスタ４がオフになってもゲートの浮遊容量により、駆動トランジスタ２はオン状態を保持する。
【００４２】
ソースドライバ１４の出力電圧Ｓ１、Ｓ２、Ｓ３がオフ電圧である０Ｖのとき、スイッチングトランジスタ４がオンになると、駆動トランジスタ２のゲートに０Ｖが印加され、駆動トランジスタ２はオフになる。
【００４３】
システムメモリ１０は、ＲＯＭ（Ｒｅａｄ  Ｏｎｌｙ  Ｍｅｍｏｒｙ）やフラッシュメモリなどの記録媒体から構成されている。
【００４４】
フレームメモリ６０は、表示画面５０の画素数に対応する記憶領域を有する１画面分のフレームメモリである。フレームメモリ６０は、電気化学表示素子１によって次回に表示画面５０に表示する第１の画像データとして表示濃度の値を記憶する。図面上ではフレームメモリ６０をＦＭ１と表記する。
【００４５】
タッチパネルコントローラ４１は、制御部１１の指令によりタッチパネル４０を駆動し、またタッチパネル４０から読みとった入力位置情報を制御部１１に送信する。
【００４６】
制御部１１は、ＣＰＵなどから構成され、プログラムに基づいて表示装置１００全体を制御する。
【００４７】
制御部１１の内部構成は図５を用いて説明する。
【００４８】
制御部１１は、ＣＰＵ９８（中央処理装置）とＲＡＭ９７（Ｒａｎｄｏｍ  Ａｃｃｅｓｓ  Ｍｅｍｏｒｙ）、ＲＯＭ９６（Ｒｅａｄ  Ｏｎｌｙ  Ｍｅｍｏｒｙ）等から構成され、不揮発性の記憶部であるＲＯＭ９６に記憶されているプログラムをＲＡＭ９７に読み出し、当該プログラムに従って表示装置１００の各部を制御する。
【００４９】
図６において、ＣＰＵ９８内に記載されている画素書換回数カウンタ８０、画素書換回数判定部８１、部分書換回数カウンタ８２、部分書換回数判定部８３、及び書換制御部８４は、それぞれＣＰＵ９８によるプログラムの実行により実現される機能を機能ブロックとして示している。なお、本実施形態ではこれらの機能ブロックをソフトウェアにより実現するものとしたが、ハードウェアにより実現するようにしてもよい。
【００５０】
書換制御部８４は、所定の電気化学表示素子に対して消去電圧を印加して画像を消去した後、表示すべき画像の濃度に応じた期間の間、書き込み電圧を印加する画像書換を行って画像を表示させる。
【００５１】
画素書換回数カウンタ８０は、書換制御部８４が、一部の領域の電気化学表示素子１に複数回画像書換を行う場合において、書換制御部８４が画像書換を行わなかったそれぞれの電気化学表示素子１について、当該電気化学表示素子１と隣接する位置に配列された少なくとも一つの電気化学表示素子１に書換制御部８４が画像書換を行った回数を計数する。
【００５２】
画素書換回数カウンタ８０は、画像書換時に電気化学表示素子１に消去電圧または書き込み電圧を印加したことにより隣接する位置に配列された画素の表示が劣化する影響を予測するために設けられている。そのため、画素書換回数カウンタ８０は、画像書換を行った電気化学表示素子１の回数は０とし、画像書換を行った電気化学表示素子１に隣接する位置に配列された電気化学表示素子１の書換回数を計数する。
【００５３】
画素書換回数判定部８１は、画素書換回数カウンタ８０の計数した書換回数がそれぞれ所定の書換回数を超えているか否かを判定する。
【００５４】
部分書換回数カウンタ８２は、書換制御部８４がデータ表示領域７５ａなどの一部の領域の電気化学表示素子１に画像書換を行った回数を計数する。
【００５５】
部分書換回数判定部８３は、部分書換を行った回数が所定の回数を超えているか否かを判定する。
【００５６】
本実施形態では、データ表示領域７５ａを書き換える毎にＧＵＩ領域７５ｂのデータ表示領域７５ａと隣接する部分は影響を受け表示が劣化する。部分書換回数カウンタ８２により計数した部分書換を行った回数が、部分書換回数判定部８３により所定の回数を超えていると判定されると、制御部１１は全画素の書換を行う。
【００５７】
次に、図７を用いて本実施形態の表示装置１００に画像を表示させるときの制御を説明する。
【００５８】
図７は電気化学表示素子１によって画像を表示するときの各部の電圧の変化を示すタイムチャートである。
【００５９】
以下の説明では、事前に画像が消去され全ての電気化学表示素子１が表示濃度０（白）となっている状態から、電気化学表示素子１の表示濃度を変化させることにより画像を書き込む例を説明する。
【００６０】
以下、図７のタイムチャートを用いて１行目の電気化学表示素子Ｐ１１、Ｐ１２、Ｐ１３に印加される電圧ＶＰ１１、ＶＰ１２、ＶＰ１３について説明する。
【００６１】
なお、画像の書き込みはフレーム期間の単位で行われ、フレーム期間をＦＷＮ（Ｎはフレーム番号）で表す。また、図７のタイムチャートでは図面を簡略化するためフレームＦＷ５までしか表示していない。
【００６２】
本例では、フレームＦＷ１のときのソースドライバ１４の出力Ｓ１、Ｓ２、Ｓ３はＶｓである。
【００６３】
フレームＦＷ１ではＰ１１には書き込み電圧−Ｖｃｂが印加され電流ｉ１１が流れる。また、Ｐ１２に書き込み電圧−Ｖｃｂ印加され電流ｉ１２が流れ、Ｐ１３に書き込み電圧−Ｖｃｂが印加され同様に電流ｉ１３が流れる。図７の例ではＰ１１の表示濃度の値は４であり、フレームＦＷ４までＰ１１に−Ｖｃｂが印加されている。
【００６４】
また、図７には図示していないが、Ｇ２が‘Ｈ’になったタイミングでＰ２１に電流ｉ２１、Ｇ３が‘Ｈ’になったタイミングでＰ３１に電流ｉ３１が流れる。
【００６５】
図７の例では、フレームＦＷ１からフレームＦＷ４までは全ての電気化学表示素子１に書き込み電圧−Ｖｃｂが印加され、フレームＦＷ５ではＰ１１、Ｐ２１、Ｐ３１以外の電気化学表示素子１に電流が流れる。
【００６６】
書き込み電圧を印加する時間と表示濃度の関係が図４のように表示濃度０から最高表示濃度Ｄｍａｘまで１０００ｍｓとし、またフレーム期間を例えば１０ｍｓとすると、表示濃度０から最高表示濃度Ｄｍａｘまで１００フレームの書き込みを行うことになる。
【００６７】
次に、図８を用いて本実施形態の表示装置１００に表示している画像を消去するときの制御を説明する。
【００６８】
図８は電気化学表示素子１によって表示されている画像を消去するときの各部の電圧の変化を示すタイムチャートである。
【００６９】
１行目の電気化学表示素子Ｐ１１、Ｐ１２、Ｐ１３に印加される電圧ＶＰ１１、ＶＰ１２、ＶＰ１３について説明する。
【００７０】
なお、画像の書き込みはフレーム期間の単位で行われ、フレーム期間をＦＷＮ（Ｎはフレーム番号）で表す。なお、図８のタイムチャートでは図面を簡略化するためフレームＦＷ５までしか表示していない。
【００７１】
本例ではＰ１１、Ｐ１２、Ｐ１３の開始フレーム番号ＦＳ１１は１である。そのため、フレームＦＷ１のときのソースドライバ１４の出力Ｓ１、Ｓ２、Ｓ３はＶｓである。
【００７２】
フレームＦＷ１ではＰ１１には消去電圧Ｖｃａが印加され図５に矢印で示す方向と逆方向に電流ｉ１１が流れる。また、Ｐ１２にも消去電圧Ｖｃａ印加され図５に矢印で示す方向と逆方向に電流ｉ１２が流れ、Ｐ１３に消去電圧Ｖｃａ印加され同様に図５に矢印で示す方向と逆方向に電流ｉ１３が流れる。
【００７３】
また、図８には図示していないが、Ｇ２が‘Ｈ’になったタイミングでＰ２１に電流ｉ２１、Ｇ３が‘Ｈ’になったタイミングでＰ３１に電流ｉ３１が流れる。
【００７４】
図８の例では、フレームＦＷ１からフレームＦＷ５まで全ての電気化学表示素子１に−消去電圧Ｖｃａが印加され、全ての電気化学表示素子１に電流が流れる状態を示している。画面全体を消去して更新する場合は、フレームＦＷ５以降も例えばフレームＦＷ１００まで全画素に消去電圧Ｖｃａを印加する。
【００７５】
次に、図９、図１０、図１１、図１２を用いて本実施形態の表示装置１００が一部分の領域の画像書換を行うときの処理を説明する。
【００７６】
図９は、一部分の領域の画像書換を行うときのメモリ空間７４のデータと表示画面５０に表示される画像の変化を説明する説明図である。
【００７７】
図９（ａ）は、システムメモリ１０に記憶されている文書データ７１、文書データ７２とＧＵＩデータ７３を模式的に示した図である。図９（ｂ）は、フレームメモリ６０のメモリ空間７４を模式的に示す図、図９（ｃ）は、表示画面５０に表示される画像を示す図である。
【００７８】
図９（ｂ−１）、図９（ｃ−１）は電源を投入した後の初期状態であり、フレームメモリ６０のメモリ空間７４に記憶されている表示濃度の値は全て０であり、表示画面５０は全面に白が表示されている。表示画面５０は、図９（ｃ−１）のように文書データ等を表示するデータ表示領域７５ａとタブやアイコンなどを表示するＧＵＩ領域７５ｂに区分されている。
【００７９】
ユーザが例えば順送りボタン４３を押すと、書換制御部８４はシステムメモリ１０から文書データ７１とＧＵＩデータ７３を読み出し、フレームメモリ６０に書き込む。図９（ｂ−２）は、メモリ空間７４に記憶されている文書データ７１とＧＵＩデータ７３を模式的に示している。
【００８０】
書換制御部８４は、各画素の表示濃度に応じたフレームの間、図７で説明した手順により電気化学表示素子１にそれぞれ書き込み電圧を印加する。書き込みのフレーム期間が終了すると表示画面５０には図９（ｃ−２）のようにＧＵＩ領域７５ｂには枠線７７、タブ７６ａ、７６ｂ、７６ｃが表示され、ＧＵＩ領域７５ｂの内側のデータ表示領域７５ａには文書データ７１が表示される。
【００８１】
次に、ユーザが図９（ｃ−２）の状態から例えばタブ７６ｂをタップし、データ表示領域７５ａに文書データ７２を表示させる場合を説明する。
【００８２】
このような場合は、図９（ｃ−１）のように表示画面を全画面白にしてからタブ７６ａ、７６ｂ、７６ｃと文書データ７２を書き込んで表示させると、タブ７６ａ、７６ｂ、７６ｃの表示が一旦消えるのでユーザは不自然に感じる。そのため、本実施形態ではＧＵＩ領域７５ｂの表示は変更せず、データ表示領域７５ａだけを書き換える部分書換を行う。
【００８３】
部分書換を行うと、ユーザが操作部４２やＧＵＩ領域７５ｂを操作してデータ表示領域７５ａに表示するデータを更新する際も、ＧＵＩ領域７５ｂに表示したタブ７６やアイコンは消えないので使い勝手が良い。
【００８４】
部分書換の場合、制御部１１は、最初に図９（ｂ−３）のようにメモリ空間７４の文書データ領域７４ａの表示濃度の値を０に書き換える。なお、フレームメモリ６０のＧＵＩデータ領域７４ｂの表示濃度の値はいくらでも良い。
【００８５】
書換制御部８４は、データ表示領域７５ａの各画素を表示濃度０にするフレーム回数の間、図７で説明した手順により電気化学表示素子１にそれぞれ消去電圧を印加する。すると、表示画面は図９（ｃ−３）のようにＧＵＩ領域７５ｂのタブ７６ａ、７６ｂ、７６ｃが表示されたまま文書データ７１が消去され、データ表示領域７５ａが白く表示される。
【００８６】
次に、書換制御部８４は、システムメモリ１０から文書データ７２を読み出して、図９（ｂ−４）のようにフレームメモリ６０の文書データ領域７４ａに文書データ７２を書き込む。なお、フレームメモリ６０のＧＵＩデータ領域７４ｂには書き込みを行わない。
【００８７】
書換制御部８４は、次にデータ表示領域７５ａの各画素の表示濃度に応じたフレームの間、図７で説明した手順により電気化学表示素子１にそれぞれ書き込み電圧を印加する。書き込みのフレーム期間が終了すると表示画面５０には図９（ｃ−４）のように、枠線７７とタブ７６ａ、７６ｂ、７６ｃが表示されているＧＵＩ領域７５ｂの内側のデータ表示領域７５ａに文書データ７２が表示される。
【００８８】
以降、操作部４２やＧＵＩ領域７５ｂを操作すると、同様の手順で部分書換が行われデータ表示領域７５ａに新たなページが表示される。ところが、部分書換を繰り返すとＧＵＩ領域７５ｂのデータ表示領域７５ａと隣接する画素が影響を受けて画像がにじむなど表示が劣化する現象が起こる。
【００８９】
本実施形態では、このような表示劣化が目立たないように画像書換を行わなかった電気化学表示素子１と隣接する電気化学表示素子１が画像書換を行った回数を電気化学表示素子１毎にカウントし、所定回数を越えた電気化学表示素子１に画像書換を行って元の画像を再表示させる。このようにすると、部分書換を行っても表示する画像の劣化を目立たなくすることができる。
【００９０】
図１０を用いて、本実施形態の部分書換を行っても画像の劣化が目立たなくする手順を説明する。
【００９１】
図１０は、複数回部分書換を行う４つの電気化学表示素子１に隣接する画素の劣化を目立たなくする手順を説明する図である。
【００９２】
図１０（ａ）〜（ｊ）は、表示画面５０の右上角からＧＵＩ領域７５ｂとデータ表示領域７５ａとの境界付近の４×４画素を抜き出して各画素の表示濃度の変化を示している。図１０では４×４画素の左上の画素を１行１列目の画素、右下の画素を４行４列目の画素とする相対アドレス（ｌ，ｍ）で画素の説明をする。（ｌ，ｍ）のｌは行を、ｍは列を表す。また、図１０（１）〜（６）は、図１０（ａ）〜（ｊ）の画素の電気化学表示素子１に対応する画素書換回数Ｋ（ｌ，ｍ）の行列を表している。
【００９３】
図１０の（３，１）、（３，２）、（４，１）、（４，２）の４つの画素はデータ表示領域７５ａの画素であり、それ以外の１２の画素はＧＵＩ領域７５ｂの画素である。
【００９４】
図１０（ａ）、（ｂ）は、図９（Ｃ−２）のように表示している状態から、ユーザーによって新たなページを表示する操作がなされ、部分書換を行ってデータ表示領域７５ａにページ１の表示を行った状態である。なお、部分書換は図１０（ａ）の状態までには行われていなかったものとする。
【００９５】
図１０（ａ）は、部分書換を行うためデータ表示領域７５ａの画像を消去した状態であり、データ表示領域７５ａの４つの画素は白く（例えば表示濃度の値０）表示され、ＧＵＩ領域７５ｂの１２の画素は黒（例えば表示濃度の値１５）に表示されている。図１０（１）の画素書換回数Ｋ（ｌ，ｍ）の値は全て０である。
【００９６】
図１０（ｂ）は、データ表示領域７５ａの４つの画素に部分書き込みを行って黒（例えば表示濃度の値１５）を表示している状態である。ＧＵＩ領域７５ｂの画素は、書換られていない。図１０（２）の画素書換回数Ｋ（ｌ，ｍ）の値は、部分書換を行った画素に隣接する５つの画素の画素書換回数Ｋ（２，１）、Ｋ（２，２）、Ｋ（２，３）、Ｋ（３，３）、Ｋ（３，４）の値が１になっている。
【００９７】
図１０（ｃ）、（ｄ）を用いて、同様の手順で２回の部分書換を行ってデータ表示領域７５ａにページ２の表示を行った状態を説明する。
【００９８】
図１０（ｃ）は、部分書換を行うためデータ表示領域７５ａの画像を消去した状態であり、データ表示領域７５ａの４つの画素は白く（例えば表示濃度の値０）表示され、ＧＵＩ領域７５ｂの１２の画素は黒（例えば表示濃度の値１５）に表示されている。図１０（１）の画素書換回数Ｋ（ｌ，ｍ）の値は全て０である。
【００９９】
図１０（ｄ）は、データ表示領域７５ａの４つの画素に部分書き込みを行って黒（例えば表示濃度の値１５）を表示している状態である。ＧＵＩ領域７５ｂの画素は、書き換えられていない。図１０（３）の画素書換回数Ｋ（ｌ，ｍ）の値は、部分書換を行った画素に隣接する５つの画素の画素書換回数Ｋ（２，１）、Ｋ（２，２）、Ｋ（２，３）、Ｋ（３，３）、Ｋ（３，４）の値が２になっている。
【０１００】
図１０（ｅ）、（ｆ）を用いて、同様の手順で１０回の部分書換を行ってデータ表示領域７５ａにページ１０の表示を行った状態を説明する。
【０１０１】
図１０（ｅ）は、部分書換を行うためデータ表示領域７５ａの画像を消去した状態であり、データ表示領域７５ａの４つの画素は白く（例えば表示濃度の値０）表示されている。ＧＵＩ領域７５ｂの部分書換を行った画素に隣接するデータ表示領域７５ａの５つの画素（２，１）、（２，２）、（２，３）、（３，３）、（３，４）の表示濃度は図１０（ｅ）のように図１０（ａ）より薄くなっている。
【０１０２】
図１０（ｆ）は、図１０（ｅ）の状態からデータ表示領域７５ａの４つの画素に部分書き込みを行って黒（例えば表示濃度の値１５）を表示している状態である。ＧＵＩ領域７５ｂの画素は、図１０（ａ）の状態から書換られていないが、ＧＵＩ領域７５ｂに隣接するデータ表示領域７５ａの５つの画素は当初より薄くなっている。図１０（４）の画素書換回数Ｋ（ｌ，ｍ）の値は、部分書換を行った画素に隣接する５つの画素の画素書換回数Ｋ（２，１）、Ｋ（２，２）、Ｋ（２，３）、Ｋ（３，３）、Ｋ（３，４）の値が１０になっている。部分書換を行った画素と、部分書換を行った画素に隣接する５つの画素以外のＧＵＩ領域７５ｂの画素の画素書換回数は０である。
【０１０３】
本実施形態では、このように部分書換を１０回行った画素に隣接する書換を行わない画素は、画像の劣化が目立つようになるものとする。
【０１０４】
図１０（ｇ）は、部分書換を１０回行った画素に隣接する画像の劣化が目立つ５つの画素（２，１）、（２，２）、（２，３）、（３，３）、（３，４）を部分書換し、再描画するため一旦消去電圧を印加し、白を表示させた状態である。
【０１０５】
図１０（ｈ）は、５つの画素（２，１）、（２，２）、（２，３）、（３，３）、（３，４）を部分書換し、当初の黒（例えば表示濃度の値１５）を表示させた状態である。
【０１０６】
このように、画像の劣化が目立つ画素だけを再描画しているので、再描画される画素は最小限であり、ユーザにあまり違和感を与えることなく更新できる。
【０１０７】
図１０（５）の画素書換回数Ｋ（ｌ，ｍ）の値は、部分書換を行った画素の画素書換回数Ｋ（２，１）、Ｋ（２，２）、Ｋ（２，３）、Ｋ（３，３）、Ｋ（３，４）の値が０になり、部分書換を行った画素に隣接する画素の画素書換回数は１になっている。
【０１０８】
図１０（ｉ）、（ｊ）は、同様の手順で部分書換を行ってデータ表示領域７５ａにページ１１の表示を行った状態である。
【０１０９】
図１０（ｉ）は、部分書換を行うためデータ表示領域７５ａの画像を消去した状態であり、データ表示領域７５ａの４つの画素は白く（例えば表示濃度の値０）表示され、ＧＵＩ領域７５ｂの１２の画素は黒（例えば表示濃度の値１５）に表示されている。
【０１１０】
図１０（ｊ）は、データ表示領域７５ａの４つの画素に部分書き込みを行って黒（例えば表示濃度の値１５）を表示している状態である。
【０１１１】
図１０（６）の画素書換回数Ｋ（ｌ，ｍ）の値は、部分書換を行った画素の画素書換回数Ｋ（３，１）、Ｋ（３，２）、Ｋ（４，２）の値が０になり、部分書換を行った画素に隣接する５つの画素の画素書換回数Ｋ（２，１）、Ｋ（２，２）、Ｋ（２，３）、Ｋ（３，３）、Ｋ（３，４）の値が１になっている。
【０１１２】
以上のように画素毎に隣接した画素が書換られた回数を計数し、所定の回数以上の画素の書換を行うので、部分書換を行っても画像の劣化が目立たないようにできる。
【０１１３】
ところで、図１０で説明した手順で画素書換を所定回数以上行うと、データ表示領域７５ａに隣接する５つの画素（２，１）、（２，２）、（２，３）、（３，３）、（３，４）は、ページ送りを１０回行う毎に書換られるが、これら５つの画素に隣接する７つの画素（１，１）、（１，２）、（１，３）、（１，３）、（１，４）、（２，４）、（３、４）、（４，４）はページ送りを１００回行う毎しか書換られない。書換られるまでの間、これらの７つの画素の画像の劣化は許容できるレベルではあるが、長期間劣化した画像を表示することになるので望ましくない。
【０１１４】
次に、このような劣化した画像をできるだけ長期間表示しないようにする手順を図１１と図１２のフローチャートで説明する。
【０１１５】
図１１は、部分書換によりページ更新をするメインルーチンの手順を説明するフローチャート、図１２は、部分書換ルーチンの手順を説明するフローチャートである。
【０１１６】
最初に、図１１のメインルーチンの手順を説明する。
【０１１７】
なお、電源投入時など初期状態では全ての電気化学表示素子１に消去電圧を印加し、画面全体が白く表示されているものとする。
【０１１８】
Ｓ１１：ページを更新した回数Ｂを０にするステップである。
【０１１９】
部分書換回数カウンタ８２は、ページを更新した回数Ｂを０にしてシステムメモリ１０に記憶される。
【０１２０】
Ｓ１２：ページ更新の操作の有無を判定するステップである。
【０１２１】
書換制御部８４は、操作部４２やタッチパネル４０からページ更新の操作がされたか、否かを判定する。
【０１２２】
ページ更新の操作無しの場合、（ステップＳ１２；Ｎｏ）、ステップＳ１２に戻る。
【０１２３】
ページ更新の操作有りの場合、（ステップＳ１２；Ｙｅｓ）、ステップＳ１３に進む。
【０１２４】
Ｓ１３：部分書換を行うステップである。
【０１２５】
書換制御部８４は、後に説明する部分書換ルーチンをコールし、所定のページの画像をデータ表示領域７５ａに表示させる。
【０１２６】
Ｓ１４：ページを更新した回数ＢをＢ＋１にするステップである。
【０１２７】
部分書換回数カウンタ８２は、システムメモリに記憶されているページを更新した回数ＢをＢ＋１にする。
【０１２８】
Ｓ１５：ページを更新した回数Ｂが所定の回数Ｕを越えるか、否かを判定するステップである。
【０１２９】
部分書換回数判定部８３は、回数Ｂが予め設定した所定の回数Ｕを越えるか、否かを判定する。
【０１３０】
Ｂ≦Ｕの場合、（ステップＳ１５；Ｎｏ）、ステップＳ１２に戻る。
【０１３１】
Ｂ＞Ｕの場合、（ステップＳ１５；Ｙｅｓ）、ステップＳ１６に進む。
【０１３２】
Ｓ１６：画面全体を更新するステップである。
【０１３３】
書換制御部８４は、全ての電気化学表示素子１に画像書換を行ってそれまでに表示していた画像を再度表示させ、ステップＳ１１に戻る。
【０１３４】
メインルーチンの説明は以上である。
【０１３５】
例えばＵを２５に設定すると、ページ送りの回数が２５回を越えると画面全体が更新されるので、ページ送り２５回毎に隣接する電気化学表示素子１の影響により画像の劣化した電気化学表示素子１を全て無くすことができる。
【０１３６】
次に、部分書換ルーチンの手順を図１２のフローチャートで説明する。
【０１３７】
図１２は、本実施形態における部分書換ルーチンの手順を説明するためのフローチャートである。以下、メインルーチンから部分書換ルーチンがコールされてからの手順を説明する。
【０１３８】
Ｓ１０１：部分書換を行うステップである。
【０１３９】
書換制御部８４は、フレームメモリ６０のデータ表示領域７５ａに対応する領域の表示濃度の値を０に書き換える。
【０１４０】
次に、書換制御部８４は、データ表示領域７５ａの各画素を表示濃度０にするフレーム回数の間、データ表示領域７５ａの各電気化学表示素子１に消去電圧を印加する。
【０１４１】
次に、書換制御部８４は、システムメモリ１０から新たなページのデータを読み出して、フレームメモリ６０のデータを書き込む。
【０１４２】
次に、書換制御部８４は、次にデータ表示領域７５ａの各画素の表示濃度に応じたフレームの間、電気化学表示素子１にそれぞれ書き込み電圧を印加する。
【０１４３】
Ｓ１０２：画素書換回数Ｋ（ｉ，ｊ）を更新するステップである。
【０１４４】
画素書換回数Ｋ（ｉ，ｊ）は、システムメモリ１０に記憶されているｉ行ｊ列の電気化学表示素子１であるＰｉｊの画素書換回数を記憶する変数である。
【０１４５】
画素書換回数カウンタ８０は、それぞれの電気化学表示素子Ｐｉｊについて、隣接する電気化学表示素子１の何れか一つが画像書換を行った場合は画素書換回数Ｋ（ｉ，ｊ）に１を加え、電気化学表示素子Ｐｉｊ自身が画像書換を行った場合は画素書換回数Ｋ（ｉ，ｊ）を０にする。なお、複数の隣接する電気化学表示素子１が画像書換を行ってもＫ（ｉ，ｊ）に加える値は１である。
【０１４６】
Ｓ１０３：画素書換回数Ｋ（ｉ，ｊ）が所定回数以上の画素を抽出するステップである。
【０１４７】
画素書換回数判定部８１は、Ｋ（ｉ，ｊ）が所定回数以上の画素を抽出する。図１０（４）の例では１０回以上の画素（２，１）、（２，２）、（２，３）、（３，３）、（３，４）を抽出する。
【０１４８】
Ｓ１０４：画素書換回数が所定回数以上の画素の有無を判定するステップである。
【０１４９】
画素書換回数判定部８１は、画素書換回数が所定回数以上の画素の有無を判定する。
【０１５０】
所定回数以上の画素無しの場合、（ステップＳ１０４；Ｎｏ）、元のルーチンに戻る。
【０１５１】
所定回数以上の画素有りの場合、（ステップＳ１０４；Ｙｅｓ）、ステップＳ１０５に進む。
【０１５２】
Ｓ１０５：抽出した画素を再描画するステップである。
【０１５３】
書換制御部８４は、抽出した画素書換回数が所定回数以上の電気化学表示素子１に画像書換を行ってそれまでに表示していた画像を再度表示させ、画像書換を行った画素の画素書換回数を０にする。
【０１５４】
処理を終了すると元のルーチンに戻る。
【０１５５】
なお、これまでの説明した例では隣接する画素の何れかが画像書換を行った場合、画素書換回数Ｋ（ｉ，ｊ）に１を加えていたが、画素間の距離に応じて重み付けをしても良い。
【０１５６】
図１３を用いて、画素間の距離に応じて画素書換回数に重み付けをする例を説明する。
【０１５７】
図１３は、７行７列の画素書換回数Ｋ（ｉ，ｊ）の値を示している。行番号は−３〜３、列番号は−３〜３とし、それぞれの枠内に画素書換回数Ｋ（ｉ，ｊ）の値を記している。
【０１５８】
図１３は、中心の画素だけが１回書換られ画素書換回数Ｋ（０，０）が０になった状態である。隣接する画素は画素書換回数Ｋ（−１、−１）、Ｋ（−１、０）、Ｋ（−１、１）、Ｋ（０、−１）、Ｋ（０、１）、Ｋ（１、−１）、Ｋ（１、０）、Ｋ（１、１）の値は２である。さらにその外側を囲む画素の画素書換回数Ｋの値は１である。
【０１５９】
すなわち、隣接する画素の画素書換回数Ｋは、その外側を囲む画素の画素書換回数Ｋの２倍に重み付けされている。
【０１６０】
このように重み付けをすると、周辺の画素の書換による画像劣化をさらに精度良く予測することができる。
【０１６１】
次に、第２の実施形態について図１４、図１５を用いて説明する。
【０１６２】
図１４は、第２の実施形態における表示装置の構成を示す図である。
【０１６３】
第１の実施形態との違いは、第２の実施形態では画素毎の書換回数の計数を行わず、データ表示領域７５ａの部分書換回数に基づいて処理を行う点である。そのため、画素書換回数カウンタ８０、画素書換回数判定部８１は有さない。その他の機能要素については第１の実施形態と同様であり、説明を省略する。
【０１６４】
図１５は、第２の実施形態において、部分書換によりページ更新をするメインルーチンの手順を説明するフローチャートである。
【０１６５】
図１５のメインルーチンの手順を説明する。
【０１６６】
なお、電源投入時など初期状態では全ての電気化学表示素子１に消去電圧を印加し、画面全体が白く表示されているものとする。
【０１６７】
Ｓ２０：ページを更新した回数Ｂを０にするステップである。
【０１６８】
部分書換回数カウンタ８２は、ページを更新した回数Ｂを０にしてシステムメモリ１０に記憶される。
【０１６９】
Ｓ２１：ページ更新の操作の有無を判定するステップである。
【０１７０】
書換制御部８４は、操作部４２やタッチパネル４０からページ更新の操作がされたか、否かを判定する。
【０１７１】
ページ更新の操作無しの場合、（ステップＳ１２；Ｎｏ）、ステップＳ２１に戻る。
【０１７２】
ページ更新の操作有りの場合、（ステップＳ１２；Ｙｅｓ）、ステップＳ２２に進む。
【０１７３】
Ｓ２２：ページを更新した回数Ｂと所定の回数Ｙを判定するステップである。
【０１７４】
部分書換回数判定部８３は、ページを更新した回数Ｂと所定の回数Ｙが等しいか、否かを判定する。
【０１７５】
Ｂ≠Ｙの場合、（ステップＳ１２；Ｎｏ）、ステップＳ２３に進む。
【０１７６】
Ｓ２３：データ表示領域７５ａの部分書換を行うステップである。
【０１７７】
書換制御部８４は、フレームメモリ６０のデータ表示領域７５ａに対応する部分の表示濃度の値を０に書き換える。
【０１７８】
次に、書換制御部８４は、データ表示領域７５ａの各画素を表示濃度０にするフレーム回数の間、電気化学表示素子１にそれぞれ消去電圧を印加する。
【０１７９】
次に、書換制御部８４は、システムメモリ１０から新たなページのデータを読み出して、フレームメモリ６０のデータを書き込む。
【０１８０】
次に、書換制御部８４は、次にデータ表示領域７５ａの各画素の表示濃度に応じたフレームの間、電気化学表示素子１にそれぞれ書き込み電圧を印加する。
【０１８１】
Ｂ＝Ｙの場合、（ステップＳ１２；Ｙｅｓ）、ステップＳ２４に進む。
【０１８２】
Ｓ２４：データ表示領域７５ａおよびデータ表示領域７５ａの周囲の電気化学表示素子１の画像書換を行うステップである。図１０の例では、データ表示領域７５ａの周囲の電気化学表示素子１は、隣接する５つの画素（２，１）、（２，２）、（２，３）、（３，３）、（３，４）の電気化学表示素子１である。
【０１８３】
書換制御部８４は、フレームメモリ６０のデータ表示領域７５ａおよびデータ表示領域７５ａの周囲の画素に対応する部分の表示濃度の値を０に書き換える。
【０１８４】
次に、書換制御部８４は、データ表示領域７５ａの電気化学表示素子１、およびデータ表示領域７５ａの周囲の電気化学表示素子１を表示濃度０にするフレーム回数の間、これらの電気化学表示素子１にそれぞれ消去電圧を印加する。
【０１８５】
次に、書換制御部８４は、システムメモリ１０から新たなページのデータを読み出して、フレームメモリ６０のデータを書き込む。なお、データ表示領域７５ａに隣接する周囲の画素の画像データはフレームメモリ６０に残っているものとする。
【０１８６】
次に、書換制御部８４は、データ表示領域７５ａの電気化学表示素子１、およびデータ表示領域７５ａに隣接する周囲の電気化学表示素子１の表示濃度に応じたフレームの間、これらの電気化学表示素子１にそれぞれ書き込み電圧を印加する。
【０１８７】
Ｓ２５：ページを更新した回数ＢをＢ＋１にするステップである。
【０１８８】
部分書換回数カウンタ８２は、システムメモリに記憶されているページを更新した回数ＢをＢ＋１にする。
【０１８９】
Ｓ２６：ページを更新した回数Ｂが所定の回数Ｕを越えるか、否かを判定するステップである。
【０１９０】
部分書換回数判定部８３は、回数Ｂが予め設定した所定の回数Ｘを越えるか、否かを判定する。
【０１９１】
Ｂ≦Ｘの場合、（ステップＳ１５；Ｎｏ）、ステップＳ１２に戻る。
【０１９２】
Ｂ＞Ｘの場合、（ステップＳ１５；Ｙｅｓ）、ステップＳ１６に進む。
【０１９３】
Ｓ１６：画面全体を更新するステップである。
【０１９４】
書換制御部８４は、全ての電気化学表示素子１に画像書換を行い、それまでに表示していた画像を再度表示させてステップＳ１１に戻る。
【０１９５】
メインルーチンの説明は以上である。
【０１９６】
例えばＹを１０に、Ｘを１９に設定すると、ページ送りの回数が１０回になるとデータ表示領域７５ａに隣接する周辺の画素も含めて更新され、ページ送りの回数が１９回になると画面全体が更新される。
【０１９７】
第２の実施形態では、第１の実施形態のように画素毎に書換回数を計数する場合より少ないメモリの使用量で、部分書換を行っても画像の劣化が目立たないようにすることができる。
【０１９８】
なお、本実施形態の例に限らず、例えばページ送りを１０回行う毎にデータ表示領域７５ａに隣接する周辺の画素も含めて更新し、ページ送りの回数が例えば２５回になると画面全体が更新されるようにしても良い。
【０１９９】
以上のように、本実施形態によれば、部分書換を行っても画像の劣化が目立たない表示装置を提供することができる。
【符号の説明】
【０２００】
１  電気化学表示素子
２  駆動トランジスタ
４  スイッチングトランジスタ
５  走査線
６  バス
７  バスライン
８  信号線
１０  システムメモリ
１１  制御部
１２  ゲートドライバ
１３  コモン電源
１４  ソースドライバ
１５  制御電圧電源
３０  銀電極
３１  電解質
３２  電極
３４  電源
３５  銀
４０  タッチパネル
４１  タッチパネルコントローラ
４２  操作部
４３  順送りボタン
４４  逆送りボタン
５０  表示画面
６０  フレームメモリ
７１  文書データ
７２  文書データ
７３  データ
７４  メモリ空間
７５ａ  データ表示領域
７５ｂ  ＧＵＩ領域
７６  タブ
７７  枠線
８０  画素書換回数カウンタ
８１  画素書換回数判定部
８２  部分書換回数カウンタ
８３  部分書換回数判定部
８４  書換制御部
１００  表示装置
【図１】
2011095381.tif 000003
【図２】
2011095381.tif 000004
【図３】
2011095381.tif 000005
【図４】
2011095381.tif 000006
【図５】
2011095381.tif 000007
【図６】
2011095381.tif 000008
【図７】
2011095381.tif 000009
【図８】
2011095381.tif 000010
【図９】
2011095381.tif 000011
【図１０】
2011095381.tif 000012
【図１１】
2011095381.tif 000013
【図１２】
2011095381.tif 000014
【図１３】
2011095381.tif 000015
【図１４】
2011095381.tif 000016
【図１５】
2011095381.tif 000017